(57)【要約】      （修正有）【課題】ボルトまたはナットと緊密に係止できるとともに、弛み防止効果と盗難防止効果の高い係止アセンブリーを提供する。【解決手段】ナット１０は、その下側に複数の連続の斜面部１２と係止部１２１が設けられ、ワッシャー２０は、その上側に複数の連続の斜面部２３と係止部２３１が設けられ、前記した各斜面部は外縁から内側へ向けて傾斜して形成され、ワッシャーの下側には複数の噛合斜面２４と係止部２５が連続して設けられている。【選択図】図３
0003132765.tif 000002
【実用新案登録請求の範囲】
【請求項１】
少なくともナット及びワッシャーを有し、
前記ナットは、中央にねじ孔が形成されると共に、下側に複数の連続の斜面部が設けられ、各斜面部の接続箇所に高度差を有する係止部が設けられ、
前記ワッシャーは、中央に貫通孔が形成されると共に、上側に複数の連続の斜面部が設けられ、各斜面部の接続箇所に高度差を有する係止部が設けられ、各斜面部に外縁から内側へ向く傾斜角度が形成され、
前記ワッシャーの下側に複数の連続の噛合斜面が設けられ、各噛合斜面の連続箇所に高度差を有する係止部が設けられることを特徴とする、
弛み及び盗難防止用の係止アセンブリー。
【請求項２】
前記ワッシャーの斜面部における外縁の一角に湾曲面が設けられることを特徴とする、請求項１に記載の弛み及び盗難防止用の係止アセンブリー。
【請求項３】
前記ワッシャーの係止部に所定の高さを増加することにより、前記傾斜角度を増加することを特徴とする、請求項１に記載の弛み及び盗難防止用の係止アセンブリー。
【請求項４】
前記ナットの下側に更にナット外側へ延出する係合リングが設けられ、前記係合リングの下側に前記斜面部が設けられることを特徴とする、請求項１又は２又は３に記載の弛み及び盗難防止用の係止アセンブリー。
【請求項５】
前記ナットの係合リングに複数の切欠部が形成されることを特徴とする、請求項４に記載の弛み及び盗難防止用の係止アセンブリー。
【請求項６】
前記ワッシャーの外縁に複数の切欠部が形成されることを特徴とする、請求項４に記載の弛み及び盗難防止用の係止アセンブリー。
【請求項７】
少なくともボルト及びワッシャーを有し、
前記ボルトは、表面にねじ山を有する軸部を有すると共に、一端に頭部が設けられ、前記頭部の下側に複数の連続の斜面部が設けられ、各斜面部の接続箇所に高度差を有する係止部が設けられ、
前記ワッシャーは、中央に貫通孔が形成されると共に、上側に複数の連続の斜面部が設けられ、各斜面部の接続箇所に高度差を有する係止部が設けられ、各斜面部に外縁から内側へ向く傾斜角度が形成され、
前記ワッシャーの下側に複数の連続の噛合斜面が設けられ、各噛合斜面の連続箇所に高度差を有する係止部が設けられることを特徴とする、
弛み及び盗難防止用の係止アセンブリー。
【請求項８】
前記ワッシャーの斜面部における外縁の一角に湾曲面が設けられることを特徴とする、請求項７に記載の弛み及び盗難防止用の係止アセンブリー。
【請求項９】
前記ワッシャーの係止部に所定の高さを増加することにより、前記傾斜角度を増加することを特徴とする、請求項７に記載の弛み及び盗難防止用の係止アセンブリー。
【請求項１０】
前記ボルトの頭部の下側に更に前記頭部の外側へ延出する係合リングが設けられ、前記係合リングの下側に前記斜面部が設けられることを特徴とする、請求項７又は８又は９に記載の弛み及び盗難防止用の係止アセンブリー。
【請求項１１】
前記ボルトの係合リングに複数の切欠部が形成されることを特徴とする、請求項１０に記載の弛み及び盗難防止用の係止アセンブリー。
【請求項１２】
前記ワッシャーの外縁に複数の切欠部が形成されることを特徴とする、請求項１０に記載の弛み及び盗難防止用の係止アセンブリー。
【請求項１３】
ワッシャーを有し、
前記ワッシャーは、中央に貫通孔が形成されると共に、上側に複数の連続の斜面部が設けられ、各斜面部の接続箇所に高度差を有する係止部が設けられ、各斜面部に外縁から内側へ向く傾斜角度が形成され、
前記ワッシャーの下側に複数の連続の噛合斜面が設けられ、各噛合斜面の連続箇所に高度差を有する係止部が設けられることを特徴とする、
弛み及び盗難防止用の係止アセンブリー。
【請求項１４】
前記ワッシャーの斜面部における外縁の一角に湾曲面が設けられることを特徴とする、請求項１３に記載の弛み及び盗難防止用の係止アセンブリー。
【請求項１５】
前記ワッシャーの係止部に所定の高さを増加することにより、前記傾斜角度を増加することを特徴とする、請求項１３に記載の弛み及び盗難防止用の係止アセンブリー。
【考案の詳細な説明】
【技術分野】
【０００１】
本考案は、特にナット、ワッシャー及びボルトを有すると共に、被締結部材と緊密に係止できる弛み及び盗難防止用の係止アセンブリーに関するものである。
【背景技術】
【０００２】
従来この種の係止アセンブリーは、ボルトが被締結部材を貫通した後、二つのナットを前記ボルトに設置し、或いはスプリングワッシャーを有するボルトが被締結部材を貫通することにより、被締結部材の結合性を安定させる。これらの係止アセンブリーは、特に高速に振動する被締結部材に使用されることにより、振動で係止アセンブリーを構成するボルトまたはナットの弛みを防止する。
【０００３】
図１２及び図１３に示すように、現在、市販されたている係止アセンブリーは、ナット（５０）、ボルト（６０）及び二つのワッシャー（７０）を有する。
前記ナット（５０）とボルト（６０）の頭部の下側には傾斜する斜面部（５１）（６１）が夫々設けられているとともに、ワッシャー（７０）の上側には傾斜する噛合斜面部（７１）が設けられて、これらの斜面部（５１）（６１）と（７１）が夫々互いに対応して嵌合可能になっている。
ナット（５０）とボルト（６０）の頭部の各斜面部（５１）（６１）の最も低い箇所と相隣の噛合斜面部の最も高い箇所との間に所定の高さを有する係止部（６２，５２）が設けられ、またワッシャー（７０）の各噛合斜面部（７１）の最も低い箇所と相隣の噛合斜面部の最も高い箇所との間にも所定の高さを有する係止部（７２）が設けられていて、これらの噛合斜面部と係止部との嵌合構造により、ナット（５０）とボルト（６０）の回転を規制して係止アセンブリーの弛み及び盗難防止効果を達成できる。
【考案の開示】
【考案が解決しようとする課題】
【０００４】
前記した従来の係止アセンブリーは、ワッシャー（７０）の下側に設けられた噛合斜面部の作用により、係止アセンブリーを構成するボルトまたはナットと噛み合うが、前記斜面部（５１）（６１）（７１）と噛合斜面部との接触は全面的であるため、被締結部材の振動により前記係止アセンブリーが弛んでしまうという問題があった。
【０００５】
本考案は前記した問題点を解決することを目的とするものである。
【課題を解決するための手段】
【０００６】
本願の第１考案は、少なくともナット及びワッシャーを有し、前記ナットは、中央にねじ孔が形成されると共に、下側に複数の連続の斜面部が設けられ、各斜面部の接続箇所に高度差を有する係止部が設けられ、前記ワッシャーは、中央に貫通孔が形成されると共に、上側に複数の連続の斜面部が設けられ、各斜面部の接続箇所に高度差を有する係止部が設けられ、各斜面部に外縁から内側へ向く傾斜角度が形成され、前記ワッシャーの下側に複数の連続の噛合斜面が設けられ、各噛合斜面の連続箇所に高度差を有する係止部が設けられることを特徴とする弛み及び盗難防止用の係止アセンブリーを提供する。
【０００７】
本願の第２考案は、前記ワッシャーの斜面部における外縁の一角に湾曲面が設けられることを特徴とする、前記第１考案に記載の弛み及び盗難防止用の係止アセンブリーを提供する。
【０００８】
本願の第３考案は、前記ワッシャーの係止部に所定の高さを増加することにより、前記傾斜角度を増加することを特徴とする前記第１考案に記載の弛み及び盗難防止用の係止アセンブリーを提供する。
【０００９】
本願の第４考案は、前記ナットの下側に更にナット外側へ延出する係合リングが設けられ、前記係合リングの下側に前記斜面部が設けられることを特徴とする第１又は２又は３考案に記載の弛み及び盗難防止用の係止アセンブリー、を提供する。
【００１０】
本願の第５考案は、前記ナットの係合リングに複数の切欠部が形成されることを特徴とする第４考案に記載の弛み及び盗難防止用の係止アセンブリーを提供する。
【００１１】
本願の第６考案は、前記ワッシャーの外縁に複数の切欠部が形成されることを特徴とする第４考案に記載の弛み及び盗難防止用の係止アセンブリーを提供する。
【００１２】
本願の第７考案は、少なくともボルト及びワッシャーを有し、前記ボルトは、表面にねじ山を有する軸部を有すると共に、一端に頭部が設けられ、前記頭部の下側に複数の連続の斜面部が設けられ、各斜面部の接続箇所に高度差を有する係止部が設けられ、前記ワッシャーは、中央に貫通孔が形成されると共に、上側に複数の連続の斜面部が設けられ、各斜面部の接続箇所に高度差を有する係止部が設けられ、各斜面部に外縁から内側へ向く傾斜角度が形成され、前記ワッシャーの下側に複数の連続の噛合斜面が設けられ、各噛合斜面の連続箇所に高度差を有する係止部が設けられることを特徴とする弛み及び盗難防止用の係止アセンブリーを提供する。
【００１３】
本願の第８考案は、前記ワッシャーの斜面部における外縁の一角に湾曲面が設けられることを特徴とする前記第７考案に記載の弛み及び盗難防止用の係止アセンブリーを提供する。
【００１４】
本願の第９考案は、前記ワッシャーの係止部に所定の高さを増加することにより、前記傾斜角度を増加することを特徴とする前記第７考案に記載の弛み及び盗難防止用の係止アセンブリーを提供する。
【００１５】
本願の第１０考案は、前記ボルトの頭部の下側に更に前記頭部の外側へ延出する係合リングが設けられ、前記係合リングの下側に前記斜面部が設けられることを特徴とする前記第７又は８又は９考案に記載の弛み及び盗難防止用の係止アセンブリーを提供する。
【００１６】
本願の第１１考案は、前記ボルトの係合リングに複数の切欠部が形成されることを特徴とする前記第１０考案に記載の弛み及び盗難防止用の係止アセンブリーを提供する。
【００１７】
本願の第１２考案は、前記ワッシャーの外縁に複数の切欠部が形成されることを特徴とする前記第１０考案に記載の弛み及び盗難防止用の係止アセンブリー、を提供する。
【００１８】
本願の第１３考案は、ワッシャーを有し、前記ワッシャーは、中央に貫通孔が形成されると共に、上側に複数の連続の斜面部が設けられ、各斜面部の接続箇所に高度差を有する係止部が設けられ、各斜面部に外縁から内側へ向く傾斜角度が形成され、前記ワッシャーの下側に複数の連続の噛合斜面が設けられ、各噛合斜面の連続箇所に高度差を有する係止部が設けられることを特徴とする弛み及び盗難防止用の係止アセンブリーを提供する。
【００１９】
本願の第１４考案は、前記ワッシャーの斜面部における外縁の一角に湾曲面が設けられることを特徴とする前記第１０考案に記載の弛み及び盗難防止用の係止アセンブリーを提供する。
【００２０】
本願の請求項１５の考案は、前記ワッシャーの係止部に所定の高さを増加することにより、前記傾斜角度を増加することを特徴とする前記第１３考案に記載の弛み及び盗難防止用の係止アセンブリーを提供する。
【考案の効果】
【００２１】
本考案は上記の課題を解決するものであり、少なくともナットとワッシャー、或いはボルトとワッシャーを有し、前記ナット又はボルトの下側に複数の連続の斜面部が設けられ、前記ワッシャーの上側に前記ナット又はボルトの斜面部と対応し合う斜面部が設けられると共に、下側に噛合斜面部が設けられ、前記ワッシャーの上側における各斜面部に外縁から内側へ向く傾斜角度が形成され、ナット又はボルトを弛むために回転すると、ナット又はボルトの斜面部がワッシャーの斜面部と部分的に接触することにより、ワッシャーに対する押圧力を向上するため、ワッシャーと係止アセンブリーを構成するボルトまたはナットとの噛合効果を大幅に向上することができる。
したがって、係止アセンブリーの弛み防止効果を向上できる。
【考案を実施するための最良の形態】
【００２２】
以下、添付図面を参照して本考案の好適な実施の形態を詳細に説明する。
尚、以下の実施例の記載は本考案の好適な実施の形態の一例を示したものにすぎないから、本考案の技術的範囲は実施例の記載に限定されるものではない。
【００２３】
図１は本考案に係る弛み及び盗難防止用の係止アセンブリーの第１実施例におけるナットとワッシャーの分解斜視図であり、図２は本考案に係る弛み及び盗難防止用の係止アセンブリーの第２実施例におけるナットとワッシャーの分解斜視図であり、図３は図２の他の分解斜視図であり、図４は本考案に係る弛み及び盗難防止用の係止アセンブリーの第１実施例におけるボルトとワッシャーの分解斜視図であり、図５は本考案に係る弛み及び盗難防止用の係止アセンブリーの第２実施例におけるボルトとワッシャーの分解斜視図であり、図６は図５の他の分解斜視図であり、図７は本考案に係る弛み及び盗難防止用の係止アセンブリーの第２実施例の使用状態を示す部分断面図であり、図８は本考案に係る弛み及び盗難防止用の係止アセンブリーの第３実施例におけるワッシャーの斜視図であり、図９は本考案に係わる弛み及び盗難防止用の係止アセンブリーの使用状態を示す側面図であり、図１０は本考案に係わる弛み及び盗難防止用の係止アセンブリーの使用状態を示す他の側面図であり、図１１は本考案に係わる弛み及び盗難防止用の係止アセンブリーの第２実施例におけるワッシャーの係止部の高さを増加する状態を示す斜視図である。
【００２４】
図１乃至図３に示すように、本考案に係わる弛み及び盗難防止用の係止アセンブリーは、少なくともナット（１０）及びワッシャー（２０）を有する。
前記ナット（１０）は、中央にねじ孔（１０１）が形成されると共に、下側に複数の連続の斜面部（１２）が設けられ、各斜面部（１２）の接続箇所に高度差を有する係止部（１２１）が設けられる。
【００２５】
前記ワッシャー（２０）は、中央に貫通孔（２２）が形成されると共に、上側に複数の連続の斜面部（２３）が設けられ、各斜面部（２３）の接続箇所に高度差を有する係止部（２３１）が設けられ、各斜面部（２３）は外縁から内側へ向く傾斜角度を付して形成されている。
又、前記ワッシャー（２０）の下側には複数の連続の噛合斜面（２４）が設けられ、各噛合斜面（２４）の連続箇所には高度差を有する係止部（２５）が設けられる。
【００２６】
前記ナット（１０）は、上記の構成を有する以外、その下側に更にナット（１０）外側へ延出する係合リング（１１）が設けられる。
前記係合リング（１１）の下側には前記斜面部（１２）が設けられる。
前記ワッシャー（２０）の上側における斜面部（２３）がナット（１０）の下側における斜面部（１２）と噛合可能に対応する形状に形成されていて、ナット（１０）が回転すると、ナット（１０）とワッシャー（２０）における係止部（１２１）（２３１）が互いに接触し合うことにより、ワッシャー（２０）を回転させることができる。
【００２７】
又、前記ナット（１０）の係合リング（１１）とワッシャー（２０）の外縁には互いに対応し合う複数の切欠部（１１１）（２１）が形成される。
例えば爪のような所定の係合部材（符号なし）が前記切欠部（１１１）（２１）に挿入し込むことにより、ナット（１０）とワッシャー（２０）を同時に回転させることができる。
【００２８】
図３に示すように、前記ワッシャー（２０）における斜面部（２３）は外縁から内側へ向く傾斜角度を付して形成されている。
各斜面部（２３）における最も低い接続底辺（２３２）が水平状を呈すると共に、その内側向きの仮想線がワッシャー（２０）の円心（Ｏ）を通過し、又、各斜面部（２３）における最も高い傾斜辺（２３３）の内側向きの仮想線が傾斜角度で前記接続底辺（２３２）の仮想線と交差すると共に、ワッシャー（２０）の中心軸における第１円心（Ｏ´）を通過する。
【００２９】
又、図４乃至図５に示すように、本考案に係わる弛み及び盗難防止用の係止アセンブリーは、少なくともボルト（３０）及びワッシャー（２０）を有してもよい。
前記ボルト（３０）は、表面にねじ山（３２）を有する軸部（３１）を有すると共に、一端に頭部（３３）が設けられ、前記頭部（３３）の下側に複数の連続の斜面部（３５）が設けられ、各斜面部（３５）の接続箇所に高度差を有する係止部（３５１）が設けられる。
又、前記ワッシャー（２０）は、前記した実施例と同じであるため、その詳細な説明を省略する。
【００３０】
図５及び図６に示すように、前記ボルト（３０）の頭部（３３）は、上記の構成を有する以外、その下側に更に頭部（３３）外側へ延出する係合リング（３４）が設けられる。
前記係合リング（３４）の下側には斜面部（３５）が設けられる。
【００３１】
前記ボルト（３０）の軸部（３１）が前記ワッシャー（２０）の貫通孔（２２）を貫通し、前記ワッシャー（２０）における斜面部（２３）が前記ボルト（３０）の下側における斜面部（３５）と対応し合う。
ボルト（３０）が回転すると、ボルト（３０）とワッシャー（２０）における係止部（３５１）（２３１）が互いに接触し合うことにより、ワッシャー（２０）を回転させることができる。
【００３２】
又、前記ボルト（３０）の係合リング（３４）とワッシャー（２０）の外縁に互いに対応し合う複数の切欠部（３４１）（２１）が形成されている。例えば爪のような所定の係合部材（符号なし）が前記切欠部（３４１）（２１）に挿入し込むことにより、ボルト（３０）とワッシャー（２０）を同時に回転させることができる。
【００３３】
又、図３、図６及び図７に示すように、本考案に係わる弛み及び盗難防止用の係止アセンブリーを使用する際には、先ずボルト（３０）の軸部（３１）を組み合せようとする被締結部材（４０）（４１）及びワッシャー（２０）に貫通させる。
次に貫通させたボルト（３０）の軸部（３１）にナット（１０）を螺合するだけでよい。
ワッシャー（２０）の上側に設けた斜面部（２３）は、外縁から内側へ向く傾斜角度が形成されるので、ナット（１０）又はボルト（３０）を弛み方向に回転させると、ナット（１０）又はボルト（３０）の斜面部（１２）（３５）がワッシャー（２０）の斜面部（２３）と部分的に接触することにより、ワッシャー（２０）に対する押圧力を向上するため、ワッシャー（２０）と被締結部材（４０）（４１）との噛合効果を向上することができ、故に弛み防止効果を向上できる。
【００３４】
又、図８乃至図１０に示すように、前記ワッシャー（２０）の斜面部（２３）における外縁の一角に湾曲面（２３４）が設けられることにより、前記実施例と等しい効果を達成できる。
【００３５】
又、図１１に示すように、前記ワッシャー（２０）の係止部（２３１）に所定の高さ（ｈ）を増加し、前記各斜面部（２３）における最も高い傾斜辺（２３３Ａ）の内側向きの仮想線が前記接続底辺（２３２）の仮想線と交差すると共に、ワッシャー（２０）の中心軸における第２円心（Ｏ‘’）を通過することにより、前記ｄｑ実施例より優れた弛み防止効果を達成することができる。
【００３６】
本考案は上記の構成を有するので、少なくともナットとワッシャー、或いはボルトとワッシャーを有し、前記ナット又はボルトの下側に複数の連続の斜面部が設けられ、前記ワッシャーの上側に前記ナット又はボルトの斜面部と対応し合う斜面部が設けられると共に、下側に噛合斜面部が設けられ、前記ワッシャーの上側における各斜面部に外縁から内側へ向く傾斜角度が形成され、ナット又はボルトを弛むために回転すると、ナット又はボルトの斜面部がワッシャーの斜面部と部分的に接触することにより、ワッシャーに対する押圧力を向上するため、ワッシャーと係止アセンブリーを構成するボルトまたはナットとの噛合効果を向上することができ、故に弛み防止効果を向上できる。
【図面の簡単な説明】
【００３７】
【図１】本考案に係る弛み及び盗難防止用の係止アセンブリーの第１実施例におけるナットとワッシャーの分解斜視図である。
【図２】本考案に係る弛み及び盗難防止用の係止アセンブリーの第２実施例におけるナットとワッシャーの分解斜視図である。
【図３】図２の他の分解斜視図である。
【図４】本考案に係る弛み及び盗難防止用の係止アセンブリーの第１実施例におけるボルトとワッシャーの分解斜視図である。
【図５】本考案に係る弛み及び盗難防止用の係止アセンブリーの第２実施例におけるボルトとワッシャーの分解斜視図である。
【図６】図５の他の分解斜視図である。
【図７】本考案に係る弛み及び盗難防止用の係止アセンブリーの第２実施例の使用状態を示す部分断面図である。
【図８】本考案に係る弛み及び盗難防止用の係止アセンブリーの第３実施例におけるワッシャーの斜視図である。
【図９】本考案に係わる弛み及び盗難防止用の係止アセンブリーの使用状態を示す側面図である。
【図１０】本考案に係わる弛み及び盗難防止用の係止アセンブリーの使用状態を示す他の側面図である。
【図１１】本考案に係わる弛み及び盗難防止用の係止アセンブリーの第２実施例におけるワッシャーの係止部の高さを増加する状態を示す斜視図である。
【図１２】従来の係止アセンブリーを示す側面図である。
【図１３】従来の係止アセンブリーを示す他の側面図である。
【符号の説明】
【００３８】
１０        ナット
１０１      ねじ孔
１１        係合リング
１１１      切欠部
１２        斜面部
１２１      係止部
２０        ワッシャー
２１        切欠部
２２        貫通孔
２３        斜面部
２３１      係止部
２３２      接続底辺
２３３      傾斜辺
２３３Ａ    傾斜辺
２３４      湾曲面
２４        噛合斜面
２５        係止部
３０        ボルト
３１        軸部
３２        ねじ山
３３        頭部
３４        係合リング
３４１      切欠部
３５        斜面部
３５１      係止部
４０        被締結部材
４１        被締結部材
５０        ナット
５１        斜面部
６０        ボルト
６１        斜面部
７０        ワッシャー
７１        斜面部
ｈ          高さ
Ｏ          円心
Ｏ´        第１円心
Ｏ‘’      第２円心
【図１】
0003132765.tif 000003
【図２】
0003132765.tif 000004
【図３】
0003132765.tif 000005
【図４】
0003132765.tif 000006
【図５】
0003132765.tif 000007
【図６】
0003132765.tif 000008
【図７】
0003132765.tif 000009
【図８】
0003132765.tif 000010
【図９】
0003132765.tif 000011
【図１０】
0003132765.tif 000012
【図１１】
0003132765.tif 000013
【図１２】
0003132765.tif 000014
【図１３】
0003132765.tif 000015